(57)【特許請求の範囲】
【請求項１】
アンテナコアおよびコイルを有するアンテナと、モーターと、複数の耐磁板と、これらが取り付けられた地板とを備えた時計用ムーブメントであって、
前記アンテナコアは、前記コイルで被覆された部位としてのコイル巻部と、前記コイル巻部の一端側に設けられた第１リード部と、前記コイル巻部の他端側に設けられた第２リード部とを備えており、
時計用ムーブメントを平面視（投影視）した際に、前記耐磁板は、前記モーターの少なくとも一部と重なるように配されたものであり、
時計用ムーブメントを平面視（投影視）した際の、前記アンテナコアの一端である前記第１リード部と前記耐磁板との最短距離が０．２７ｍｍ以上１．３０ｍｍ以下であり、前記アンテナコアの他端である前記第２リード部と前記耐磁板との最短距離が１．５０ｍｍ以上７．００ｍｍ以下であることを特徴とする時計用ムーブメント。
【請求項２】
前記モーターは、前記地板と共に前記耐磁板により挟み込まれた構造を有している請求項１に記載の時計用ムーブメント。
【請求項３】
前記アンテナと前記耐磁板との間に、二次電池が配されている請求項１または２に記載の時計用ムーブメント。
【請求項４】
請求項１ないし３のいずれか１項に記載の時計用ムーブメントを備えたことを特徴とする時計。
【請求項５】
請求項１ないし３のいずれか１項に記載の時計用ムーブメントと、
前記時計用ムーブメントの外周に取り付けられた中枠と、
前記時計用ムーブメントおよび前記中枠を収容する胴と、を備えることを特徴とする時計。
【発明の詳細な説明】
【技術分野】
【０００１】
本発明は、時計用ムーブメントおよび時計に関する。
【背景技術】
【０００２】
標準電波を受信して時刻情報を取得し、表示時刻を自動的に修正する電波時計が知られている（例えば、特許文献１参照）。
一方、女性用モデル等を中心に、小型の時計についてのニーズがある。
【０００３】
このような小型の時計では、内部に収納する部品の小型化や外装ケース内の空間の有効利用が特に強く求められるが、電波時計では、収納部品としてのアンテナを小型化すると、電波の受信感度が低下するという問題があった。
【先行技術文献】
【特許文献】
【０００４】
【特許文献１】特開２００７−２３２６８０号公報
【発明の概要】
【発明が解決しようとする課題】
【０００５】
本発明の目的は、外装ケース内の空間を有効利用しつつ、アンテナによる電波の受信感度を優れたものとすることができる時計用ムーブメントおよび時計を提供することにある。
【課題を解決するための手段】
【０００６】
このような目的は、下記の本発明により達成される。
本発明の時計用ムーブメントは、アンテナコアおよびコイルを有するアンテナと、モーターと、複数の耐磁板と、これらが取り付けられた地板とを備えた時計用ムーブメントであって、
前記アンテナコアは、前記コイルで被覆された部位としてのコイル巻部と、前記コイル巻部の一端側に設けられた第１リード部と、前記コイル巻部の他端側に設けられた第２リード部とを備えており、
時計用ムーブメントを平面視（投影視）した際に、前記耐磁板は、前記モーターの少なくとも一部と重なるように配されたものであり、
時計用ムーブメントを平面視（投影視）した際の、前記アンテナコアの一端である前記第１リード部と前記耐磁板との最短距離が０．２７ｍｍ以上１．３０ｍｍ以下であり、前記アンテナコアの他端である前記第２リード部と前記耐磁板との最短距離が１．５０ｍｍ以上７．００ｍｍ以下であることを特徴とする。
【０００７】
これにより、外装ケース内の空間を有効利用しつつ、アンテナによる電波の受信感度を優れたものとすることができる時計用ムーブメントを提供することができる。
【０００８】
本発明の時計用ムーブメントでは、前記モーターは、前記地板と共に前記耐磁板により挟み込まれた構造を有していることが好ましい。
【０００９】
これにより、モーターが備える磁石から発生される磁気（磁場）が悪影響を与えることがより効果的に防止される。また、耐磁板の面積が比較的小さいものであっても、モーターが備える磁石から発生される磁気（磁場）が悪影響を与えることが確実に防止されるため、時計用ムーブメントのさらなる小型化等を図る上で有利である。
【００１２】
本発明の時計用ムーブメントでは、前記アンテナと前記耐磁板との間に、二次電池が配されていることが好ましい。
【００１３】
二次電池は、時計用ムーブメントを構成する各種部品の中でも比較的大型のものであるが、このような大型の部品をアンテナと耐磁板との間の領域に配置することにより、時計用ムーブメント全体として、構成部品を効率よく高密度に配置することができ、無駄な領域をより少ないものとすることができる。
【００１４】
本発明の時計は、本発明の時計用ムーブメントを備えたことを特徴とする。
これにより、外装ケース内の空間を有効利用しつつ、アンテナによる電波の受信感度を優れたものとすることができる時計を提供することができる。
【００１５】
本発明の時計は、本発明の時計用ムーブメントと、
前記時計用ムーブメントの外周に取り付けられた中枠と、
前記時計用ムーブメントおよび前記中枠を収容する胴と、を備えることを特徴とする。
【００１６】
これにより、外装ケース内の空間を有効利用しつつ、アンテナによる電波の受信感度を優れたものとすることができる時計を提供することができる。
【図面の簡単な説明】
【００１７】
【図１】本発明の好適な実施形態の時計（電波時計）を模式的に示す正面図である。
【図２】図１に示した時計の要部を模式的に示す分解斜視図である。
【図３】図１に示した時計を構成するムーブメントの要部を模式的に示す裏蓋側から見た底面図である。
【図４】図１に示した時計を構成するムーブメントの要部を模式的に示す文字板側から見た平面図である。
【発明を実施するための形態】
【００１８】
以下、本発明を添付図面に示す好適な実施形態に基づいて詳細に説明する。
図１は、本発明の好適な実施形態の時計（電波時計）を模式的に示す正面図、図２は、図１に示した時計の要部を模式的に示す分解斜視図、図３は、図１に示した時計を構成するムーブメントの要部を模式的に示す裏蓋側から見た底面図、図４は、図１に示した時計を構成するムーブメントの要部を模式的に示す文字板側から見た平面図である。
【００１９】
［電波時計の構成］
アンテナ内蔵式電子時計である時計１は、図１に示すように、時刻を表示する時刻表示部１０を備えた指針式腕時計（アナログ時計）である。この時刻表示部１０は、時針１１、分針１２、秒針１３、文字板１４を備える。そして、電波時計１は、時刻情報を含む無線電波としての長波標準電波を受信し、受信した時刻情報に基づいて時針１１、分針１２、秒針１３の指示位置を補正可能な時計である。
【００２０】
ここで、文字板１４としては、例えば合成樹脂やセラミック等の非導電性素材から形成されていることが好ましく、これにより、カバーガラス１２０側から進入する長波標準電波が阻害されず、後述するアンテナ２０にて良好に受信させることができる。
【００２１】
なお、アンテナ２０によって長波標準電波を受信する受信回路の構成は、従来の電波時計と同じであるため、説明を省略する。
【００２２】
［電波時計の構造］
次に、電波時計１の具体的構造について説明する。
【００２３】
電波時計１は、外装ケース１００を備えている。
外装ケース１００は、文字板１４、文字板受けリング１３０、ムーブメント３、中枠１４０等を収納し、これらを保護する機能を有するものである。
【００２４】
外装ケース１００は、リング状に形成されたケーシング（胴）１１０と、ケーシング１１０の表面側に装着されたカバーガラス１２０と、ケーシング１１０の裏面側に着脱可能に取り付けられた図示略の裏蓋とを備えている。
外装ケースは図示されているリング状でなくても良い。
【００２５】
ケーシング１１０は、ステンレス鋼、真鍮、チタン等の金属材料で構成されている。
ケーシング１１０は、外形および内周面が平面略円形に形成されている。
【００２６】
図示略の裏蓋は、ケーシング１１０と同様な金属材料で構成され、ケーシング１１０の裏面開口に固定されている。なお、裏蓋は、例えば、ガラス材料で構成されたものであってもよい。
【００２７】
外装ケース１００内には、ムーブメント（モジュール）３が配置されている。ムーブメント３は、合成樹脂製の地板５を備えている。この地板５は、平面形状が略円形とされ、アンテナユニット２の他、モーター８１、８２、二次電池８３、耐磁板６や図示略の回路基板や輪列等が取り付けられている。
【００２８】
また、地板５の上面には、図示略の日車や日回し車等のカレンダー表示機構が配置される。さらに、カレンダー表示機構の上面には、図示略の太陽電池が配置され、この太陽電池の上面に文字板１４が配置される。文字板１４は、文字板受けリング１３０で支持されている。このような構成は従来から周知であるため、説明を省略する。
【００２９】
なお、本実施形態では、モーター８１は、秒針１３および分針１２の駆動用であり、モーター８２は時針１１および日車の駆動用である。一般的な腕時計では、秒針用のモーターと、時分針用のモーターと、日車用のモーターとの３つのモーターを用いるが、本実施形態は、２つのモーター８１、８２のみで時分秒針（三針）および日車を駆動している。このため、ムーブメント３は、３つのモーターおよびアンテナユニットを備える従来のムーブメントに比べて、特に直径が小さなムーブメントとされている。
【００３０】
耐磁板６は、モーター８１、８２を外部磁界の影響から遮断する機能を有するものである。また磁性材であるため、受信電波が耐磁板に吸収されないようにするためにアンテナとの距離が必要となる。
【００３１】
そして、耐磁板６は、図３、図４に示すように、ムーブメント３を平面視した際に、モーター８１、８２の少なくとも一部と重なるように配されている。
これにより、前述した効果が顕著に発揮される。
【００３２】
耐磁板６（６Ａ、６Ｂ）の構成材料としては、例えば、フェライト系ステンレス鋼（例えば、ＳＵＳ４３０）、ＳＵＹ材（電磁軟鉄材）等が挙げられる。
【００３３】
本実施形態のムーブメント３は、図２に示すように、文字板受けリング１３０および中枠１４０で上下から挟まれて保持され、文字板受けリング１３０や中枠１４０を介して外装ケース１００に取り付けられている。図２に示すような構成により、文字板受けリング１３０の外形（輪郭）が胴１１０の内周に接触するため、ケーシング１１０に対してムーブメント３を平面方向に位置決めする機能を有している。また、中枠１４０の外形（輪郭）は文字板受けリング１３０の輪郭よりも小さいため、ケーシング１１０に対してムーブメント３を断面方向に位置決めする機能を有している。
【００３４】
アンテナユニット２は、図２、図３に示すように、アンテナ２０と、第１アンテナ枠４０と、第２アンテナ枠５０とを備えている。
【００３５】
アンテナ２０は、アンテナコア２１と、アンテナコア２１に巻かれたコイル２５とで構成され、必要に応じて、耐食性に優れるカチオン電着塗装等で絶縁が施される。
【００３６】
アンテナコア２１は、例えば、磁性材料膜としてのコバルト系のアモルファス金属膜（例；Ｃｏ５０質量％以上のアモルファスシート）を型で打ち抜くか、エッチングで成形したものを電波時計１の厚さ方向に１０〜３０枚程接着して重ね合わせ、焼鈍等の熱処理を行って磁気特性を安定化させたものである。
【００３７】
アンテナコア２１は、コイル２５で被覆された部位としてのコイル巻部と、コイル巻部の一端側に設けられた第１リード部２３と、コイル巻部の他端側に設けられた第２リード部２４とを備えている。
【００３８】
コイル巻部は、ストレート（直線状）に延長されてコイル２５が巻かれる棒状部分である。すなわち、コイル巻部は、幅寸法が一定のバー状に形成されている。
【００３９】
第１リード部２３は、コイル巻部の長手方向の一方の端部である第１の端部に連続して形成されている。
【００４０】
第２リード部２４は、コイル巻部の長手方向の他方の端部である第２の端部に連続して形成されている。
【００４１】
第１リード部２３は、第１の端部に連続する基端部２３Ａ側の幅寸法（第１リード部２３の突出方向に直交する寸法）が大きくされ、基端部２３Ａから中間部２３Ｂを介して先端部２３Ｃに向かうにしたがって幅寸法が小さくなる先細りの形状とされている。
【００４２】
第２リード部２４も、第１リード部２３と同様に、第２の端部に連続する基端部２４Ａ側の幅寸法（第２リード部２４の突出方向に直交する寸法）が大きくされ、基端部２４Ａから中間部２４Ｂを介して先端部２４Ｃに向かうにしたがって幅寸法が小さくなる先細りの形状とされている。
【００４３】
ムーブメント３を平面視した際の、アンテナコア２１の一端である第１リード部２３と耐磁板６との距離（図３、図４中のＬ１）が０．２７ｍｍ以上１．３０ｍｍ以下であり、アンテナコア２１の他端である第２リード部２４と耐磁板６との距離（図３、図４中のＬ２）が１．５０ｍｍ以上７．００ｍｍ以下である。
【００４４】
このような関係を満足することにより、ムーブメント３の大型化を防止しつつ、耐磁板６によってアンテナ２０による電波の受信感度が低下することを防止することができる。また、アンテナ２０と耐磁板６との間の領域に二次電池８３等を好適に配することができ、ムーブメント内において構成部品等が配されていない無駄な領域を有効的に減らすことができ、ムーブメントや当該ムーブメントを備えた時計の小型化にとって有利となる。また、構成部品の多い高機能、多機能の時計に用いるムーブメントにおいても、必要以上に大型化することを防止することができ、実用性、デザイン性等を優れたものとすることができる。
【００４５】
これに対し、上記のような条件を満足しない場合には、満足のいく結果が得られない。
例えば、耐磁板をモーターと重ならないように配した場合や、耐磁板を設けなかった場合には、モーターが外部磁場による悪影響を受けてしまう。
【００４６】
また、アンテナコアの両端が、耐磁板に近いものであると、電波の受信感度が低下する。
【００４７】
また、アンテナコアの両端が、耐磁板から遠いものであると、ムーブメント内に構成部品等が配されていない無駄な領域が増え、ムーブメントや当該ムーブメントを備えた時計の小型化にとって不利となる。また、構成部品の多い高機能、多機能の時計に用いるムーブメントにおいては、極端に大型化してしまい、実用性、デザイン性が著しく低下する。
【００４８】
また、アンテナコアの一端が耐磁板に近く配置され、アンテナコアの他端が耐磁板から離れて配置したものであっても、上記のような数値範囲の条件を満足しないものであると満足のいく結果が得られない。
【００４９】
例えば、時計用ムーブメントを平面視した際の、アンテナコアの一端（耐磁板により近い側の端部）と耐磁板との距離が０．２７ｍｍ以上１．３０ｍｍ以下であっても、アンテナコアの他端と耐磁板との距離が前記下限値未満であると、アンテナによる電波の受信感度を十分に優れたものとすることができない。
【００５０】
また、時計用ムーブメントを平面視した際の、アンテナコアの一端（耐磁板により近い側の端部）と耐磁板との距離が０．２７ｍｍ以上１．３０ｍｍ以下であっても、アンテナコアの他端と耐磁板との距離が前記上限値を超えると、ムーブメント内に構成部品等が配されていない無駄な領域が増え、ムーブメントや当該ムーブメントを備えた時計の小型化にとって不利となる。また、構成部品の多い高機能、多機能の時計に用いるムーブメントにおいては、極端に大型化してしまい、実用性、デザイン性が低下する。
【００５１】
また、時計用ムーブメントを平面視した際の、アンテナコアの一端（耐磁板からより遠い側の端部）と耐磁板との距離が１．５０ｍｍ以上７．００ｍｍ以下であっても、アンテナコアの他端と耐磁板との距離が前記下限値未満であると、アンテナによる電波の受信感度を十分に優れたものとすることができない。
【００５２】
また、時計用ムーブメントを平面視した際の、アンテナコアの一端（耐磁板からより遠い側の端部）と耐磁板との距離が１．５０ｍｍ以上７．００ｍｍ以下であっても、アンテナコアの他端と耐磁板との距離が前記上限値を超えると、ムーブメント内に構成部品等が配されていない無駄な領域が増え、ムーブメントや当該ムーブメントを備えた時計の小型化にとって不利となる。また、構成部品の多い高機能、多機能の時計に用いるムーブメントにおいては、極端に大型化してしまい、実用性、デザイン性が低下する。
【００５３】
ムーブメント３を平面視した際の、アンテナコア２１の一端である第１リード部２３と耐磁板６との距離（図３、図４中のＬ１）は、０．２７ｍｍ以上１．３０ｍｍ以下であればよいが、０．８０ｍｍ以上１．２０ｍｍ以下であるのが好ましく、０．８３ｍｍ以上１．１０ｍｍ以下であるのがより好ましい。
これにより、前述したような効果がより顕著に発揮される。
【００５４】
また、ムーブメント３を平面視した際の、アンテナコア２１の他端である第２リード部２４と耐磁板６との距離（図３、図４中のＬ２）は、１．５０ｍｍ以上７．００ｍｍ以下であればよいが、４．００ｍｍ以上６．９９ｍｍ以下であるのが好ましく、５．００ｍｍ以上６．９９ｍｍ以下であるのがより好ましい。
これにより、前述したような効果がより顕著に発揮される。
【００５５】
本実施形態では、図３に示すように、ムーブメント３を平面視した際のアンテナ２０と耐磁板６（第２の耐磁板６Ｂ）との距離が、アンテナコア２１の一端から他端に向かって、漸増している。言い換えると、アンテナ２０と耐磁板６（第２の耐磁板６Ｂ）とがＶ字状に配置されている。
【００５６】
このような構成であることにより、アンテナ２０と耐磁板６との間の領域に、他の部品を配置しやすく、部品を高密度に配置し、無駄な領域をより少ないものとすることができる。また、例えば、二次電池８３のような比較的大型な部品をアンテナ２０と耐磁板６との間の領域に好適に配することができるため、無駄な領域をより効果的に少ないものとすることができる。
【００５７】
本実施形態では、ムーブメント３の縦断面において、モーター８１、８２は、２枚の耐磁板６、すなわち、第１の耐磁板（表耐磁板）６Ａと第２の耐磁板（裏耐磁板）６Ｂとにより挟み込まれた構造を有している。
【００５８】
このような構成により、耐磁板６の面積（時計用ムーブメントを平面視した際の面積）が比較的小さいものであっても、モーター８１、８２に与える外部磁界の影響を遮断でき、また受信劣化にもつながらないため、ムーブメント３のさらなる小型化等を図る上で有利である。
【００５９】
また、本実施形態では、耐磁板６は、凹部を有するものであり、ムーブメント３を平面視した際に、モーターのコイル部分が、耐磁板６により覆われない部位を有している。より具体的には、ムーブメント３において、モーター８１、８２は、表面側（文字板１４等に対向する面側）のほぼ全体が第１の耐磁板６Ａにより覆われているが、裏面側（裏蓋に対向する面側）は、耐磁板６（第２の耐磁板６Ｂ）がコイル部分を大きく露出する形状で構成されている。
【００６０】
このような構成により、第２の耐磁板６Ｂは、ムーブメントの厚み方向に各モーターのコイル部分を避けて配置することができる。一方、第１の耐磁板６Ａは、各モーターのコイル部分に重ねて配置されている。これらにより、ムーブメントの薄型化を図りつつ、耐磁板による磁気（磁場）の吸収、遮蔽の効果を充分に発揮させることができる。
【００６１】
アンテナコア２１を構成する各磁性材料膜（例えば、アモルファス箔）は、厚さ寸法が０．０１ｍｍ以上０．０５ｍｍ以下であるのが好ましい。また、アンテナコア２１の積層方向の厚さ寸法は０．３ｍｍ以上１．５ｍｍ以下であるのが好ましい。アモルファス金属はフェライトに比べて磁気特性が良いため、より小型・薄型のアンテナを実現できる。
【００６２】
なお、アンテナコア２１としては、積層アモルファス膜に限定されず、軟磁性金属薄帯等でもよい。また、アンテナコア２１としては、性能は劣るが安価なフェライトを用いてもよく、この場合には、型等で成形し、熱処理して製造すればよい。
【００６３】
アンテナコア２１のコイル巻部に巻回されるコイル２５は、長波標準電波（４０〜７７．５ｋＨｚ）を受信する場合は、１５〜５０ｍＨ程度のインダクタンス値が必要となる。このため、本実施形態では、コイル２５として直径約５０μｍ程度のウレメット線を数百ターン程巻いて構成している。
【００６４】
なお、アンテナ２０における受信性能を向上させるために、第１リード部２３、第２リード部２４の表面に集磁板を貼り付けてもよい。
【００６５】
集磁板は、例えば、アモルファスシートからなる磁性膜（アモルファス膜）を数枚（例えば３枚）積層して構成できる。アモルファス膜としては、例えばコバルト系アモルファス金属（例えば、Ｃｏ−Ｆｅ−Ｎｉ−Ｂ−Ｓｉ）や鉄系アモルファス金属で構成されたもの等が挙げられる。
【００６６】
第１アンテナ枠４０は、合成樹脂製の部材であり、アンテナコア２１を保持する溝状の第１保持部４１、および、中枠１４０に位置決めされて保持される第１位置決め部４２、第２位置決め部４３を備えている。なお、第２位置決め部４３の上面には第１リード部２３の先端部２３Ｃが載置されている。
【００６７】
第１アンテナ枠４０には、地板５に形成されたピンが挿通される孔４５、地板５を通して図示略のネジが挿通される挿通孔４６も形成されている。
【００６８】
第２アンテナ枠５０は、第１アンテナ枠４０と同様に合成樹脂製の部材であり、アンテナコア２１を保持する溝状の第２保持部５１、および、中枠１４０に位置決めされて保持される第１位置決め部５２、第２位置決め部５３を備えている。なお、第２位置決め部５３の上面には第２リード部２４の先端部２４Ｃが載置されている。
【００６９】
第２アンテナ枠５０の第１位置決め部５２には、地板５に形成されたピンが挿通される孔５５が形成されている。
【００７０】
本実施形態の時計１は、上述したムーブメント３等に加え、ムーブメント３の外周に取り付けられた中枠１４０を備えている。
【００７１】
これにより、時計１において、外装ケース１００（ケーシング１１０）に対してムーブメント３を安定的に固定することができ、ムーブメント３の不本意な移動・変形等をより確実に防止することができる。
【００７２】
中枠１４０には、第１アンテナ枠４０の第１位置決め部４２、第２位置決め部４３が配置される第１凹部（凹部）１４１、第２凹部（凹部）１４２と、第２アンテナ枠５０の第１位置決め部５２、第２位置決め部５３が配置される第３凹部（凹部）１４３、第４凹部（凹部）１４４とが形成されている。
【００７３】
これらの各凹部１４１、１４２、１４３、１４４は、中枠１４０の上面（文字板受けリング１３０に対向する面）に開口されている。また、凹部１４１、１４３は、中枠１４０の径方向の内周側に開口し、中枠１４０の径方向の外周側に壁部を有するものとして設けられている。また、凹部１４２、１４４は、中枠１４０の径方向に貫通するものとして設けられている。
これにより、アンテナユニット２を安定的に固定することができる。
【００７４】
ケーシング（胴）１１０は、文字板１４、文字板受けリング１３０、ムーブメント３、中枠１４０等を収納し、これらを保護する機能を有するものである。
【００７５】
ケーシング１１０としては、前述したように、各種金属材料で構成されたものを用いることができるが、ＴｉまたはＴｉ合金で構成されたものであるのが好ましい。
【００７６】
これにより、時計１の耐食性を特に優れたものとし、時計１の軽量化を図ることができる。
【００７７】
前述したようなアンテナ２０は、図１に示すように、外装ケース１００の中心に対して６時から１０時位置にわたって配置されている。
【００７８】
一方、外装ケース１００の３時側には巻真および竜頭７を備えている。
このような本実施形態によれば、外装ケース内の空間を有効利用しつつ、アンテナによる電波の受信感度を優れたものとすることができる時計用ムーブメントおよび時計を提供することができる。
【００７９】
以上、本発明の好適な実施形態について説明したが、本発明は上記のようなものに限定されるものではない。
【００８０】
例えば、本発明の時計用ムーブメント、時計では、各部の構成は、同様の機能を発揮する任意の構成のものに置換することができ、また、任意の構成を付加することもできる。
【００８１】
また、前述した実施形態では、時計用ムーブメントが、２枚の耐磁板を備えるものである場合について代表的に説明したが、時計用ムーブメントが備える耐磁板の枚数は、特に限定されない。
【００８２】
また、前述した実施形態では、２枚の平板状の耐磁板により、モーターが挟み込まれた構造を有している場合について代表的に説明したが、例えば、耐磁板が屈曲部または湾曲部を有するものであり、コの字状やＵ字状をなすものであり、これにより、時計用ムーブメントの縦断面において、モーターを挟み込む構造をなすものであってもよい。
【００８３】
また、本実施形態では、ケーシング１１０は、平面視形状が略円形である場合について代表的に説明したが、例えば、ケーシングの平面視形状は、楕円形、四角形状、トノー形状（樽型形状）等、いかなる形状であってもよい。
【００８４】
また、前記実施形態では、アンテナ枠を第１アンテナ枠４０および第２アンテナ枠５０の２つの部材で構成していたが、各アンテナ枠４０、５０部分を連結する連結部を備えて一体化されたアンテナ枠を用いてもよい。さらに、アンテナ枠４０、５０を設けずに、アンテナコア２１およびコイル２５からなるアンテナ２０を直接地板５に取り付けてもよい。
【００８５】
また、前記実施形態では、中枠１４０に第２凹部１４２、第４凹部１４４を形成して、リード部２３、２４の先端部を配置していたが、このような凹部を備えない中枠を用いてもよい。
【００８６】
さらに、本発明は、中枠を用いずに、ムーブメントを直接外装ケース内に配置する場合にも利用できる。
【実施例】
【００８７】
次に、本発明の具体的実施例について説明する。
［１］時計用ムーブメント、電波時計の製造
（実施例１）
所定形状の地板、耐磁板（第１の耐磁板、第２の耐磁板）、モーター、アンテナ、アンテナ枠（第１のアンテナ枠、第２のアンテナ枠）、二次電池、回路基板、輪列等を用意し、これらを組み立てることにより、図２〜図４に示すような時計用ムーブメントを製造した。
【００８８】
このようにして得られた時計用ムーブメントを平面視した際の、アンテナコアの一端と第１の耐磁板との距離（図４中のＬ１）は０．８５ｍｍであり、アンテナコアの他端と第１の耐磁板との距離（図４中のＬ２）は６．９９ｍｍであった。また、得られた時計用ムーブメントを平面視（底面視）した際の、アンテナコアの一端と第２の耐磁板との距離（図３中のＬ１）は１．１０ｍｍであり、アンテナコアの他端と第２の耐磁板との距離（図３中のＬ２）は５．７６ｍｍであった。
【００８９】
その後、上記のようにして得られた時計用ムーブメント、文字板、文字板受けリング、中枠、外装ケース（ケーシング、カバーガラス、裏蓋）を用いて、図１、図２に示すような時計（電波時計）を製造した。
【００９０】
（実施例２〜４）
時計用ムーブメントの構成部品の大きさ、形状を変更することにより、第１の耐磁板についてのＬ１、Ｌ２の値、第２の耐磁板についてのＬ１、Ｌ２の値が表１に示すような値となるようにするとともに、Ｌ１、Ｌ２の値の変更に伴うムーブメントの大きさの変更に対応するように、必要に応じて、文字板、文字板受けリング、中枠、外装ケース（ケーシング、カバーガラス、裏蓋）の大きさを調整した以外は、前記実施例１と同様にして時計用ムーブメント、電波時計を製造した。
【００９１】
（比較例１〜６）
時計用ムーブメントの構成部品の大きさ、形状を変更することにより、第１の耐磁板についてのＬ１、Ｌ２の値、第２の耐磁板についてのＬ１、Ｌ２の値が表１に示すような値となるようにするとともに、Ｌ１、Ｌ２の値の変更に伴うムーブメントの大きさの変更に対応するように、必要に応じて、文字板、文字板受けリング、中枠、外装ケース（ケーシング、カバーガラス、裏蓋）の大きさを調整した以外は、前記実施例１と同様にして時計用ムーブメント、電波時計を製造した。
【００９２】
前記各実施例および比較例の時計用ムーブメントでは、いずれも、モーターは、表面側（文字板等に対向する面側）の全体が第１の耐磁板により覆われており、かつ、裏面側（裏蓋に対向する面側）が耐磁板（第２の耐磁板）により覆われておらず全面が露出したものであった（図３、図４参照）。
【００９３】
各実施例および各比較例の時計用ムーブメントについて、第１の耐磁板についてのＬ１、Ｌ２の値、第２の耐磁板についてのＬ１、Ｌ２の値を表１にまとめて示した。
【００９４】
【表１】
0006424634.tif 000002
【００９５】
［２］評価
電波時計を、電波が遮蔽された容器内に入れた状態で、長波標準電波の発射源から所定強度の電波を発射し、電波時計による電波の受信の可否を調べた。
【００９６】
その結果、本発明では、電波の受信感度を優れたものとすることができた。特に、実施例１、２、４では、電波の受信感度が特に優れたものであった。また、本発明では、時計用ムーブメント、時計の小型化に好適に対応することができた。特に、実施例１、２、３では、時計用ムーブメント、時計の小型化の効果がより顕著に発揮された。これに対し、比較例では、満足な結果が得られなかった。より具体的には、比較例１、３、５では、電波の受信を行うことができなかった。また、比較例２、４、６では、時計用ムーブメント、時計の小型化への対応が困難であった。
【符号の説明】
【００９７】
１…時計（電波時計）
１０…時刻表示部
１１…時針
１２…分針
１３…秒針
１４…文字板
２…アンテナユニット
３…ムーブメント（モジュール）
５…地板
６…耐磁板
６Ａ…耐磁板（第１の耐磁板、表耐磁板）
６Ｂ…耐磁板（第２の耐磁板、裏耐磁板）
２０…アンテナ
２１…アンテナコア
２３…第１リード部
２４…第２リード部
２３Ａ、２４Ａ…基端部
２３Ｂ、２４Ｂ…中間部
２３Ｃ、２４Ｃ…先端部
２５…コイル
４０…第１アンテナ枠
４１…第１保持部
４２…第１位置決め部
４３…第２位置決め部
４５…孔
４６…挿通孔
５０…第２アンテナ枠
５１…第２保持部
５２…第１位置決め部
５３…第２位置決め部
５５…孔
７…巻真および竜頭
８１…モーター
８２…モーター
８３…二次電池
１００…外装ケース
１１０…ケーシング（胴）
１２０…カバーガラス
１３０…文字板受けリング
１４０…中枠
１４１…第１凹部（凹部）
１４２…第２凹部（凹部）
１４３…第３凹部（凹部）
１４４…第４凹部（凹部）
【図１】
0006424634.tif 000003
【図２】
0006424634.tif 000004
【図３】
0006424634.tif 000005
【図４】
0006424634.tif 000006